(57)【要約】【課題】直流電源電圧の電圧調整するためのリアクタ短絡動作が発生を開始する境界付近の負荷において、リアクタ短絡動作に同期して発生するリアクタ騒音を抑制すること。【解決手段】制御部９は、直流電圧を所望の値に制御するために目標直流電圧と直流電圧検出手段８の出力の差分を参照し、オン期間△ｔ（０≦ｔ）を可変させるが、前記オン期間△ｔが０より大の状態から０に移行するのは、前記直流電圧と前記目標直流電圧との差が一定値以上になった時としている。【選択図】図１
2010239756.tif 000002
【特許請求の範囲】
【請求項１】
交流電源からの交流電圧を直流電圧に整流し平滑する整流平滑手段と、前記交流電源と前記整流平滑手段の一方の交流入力端との間に接続されたリアクタと、前記交流電源を前記リアクタを介して短絡するスイッチング手段と、前記交流電源のゼロクロス点を検出するゼロクロス検出手段と、前記整流平滑手段の出力直流電圧値を検出し出力する直流電圧検出手段と、前記直流電圧検出手段の出力を参照し前記ゼロクロス点の遅延期間Δｄ（０≦ｄ）後からオン期間△ｔ（０≦ｔ）の間だけ連続的に前記スイッチング手段を短絡させる制御手段とを有する直流電源装置において、前記制御手段は、前記直流電圧検出手段の出力が目標直流電圧になるようオン期間△ｔを制御し、前記オン期間△ｔが０より大の状態から０に移行するのは前記直流電圧と前記目標直流電圧との差が一定値以上になった時であることを特徴とする直流電源装置。
【請求項２】
交流電源からの交流電圧を直流電圧に整流し平滑する整流平滑手段と、前記交流電源と前記整流平滑手段の一方の交流入力端との間に接続されたリアクタと、前記交流電源を前記リアクタを介して短絡するスイッチング手段と、前記交流電源のゼロクロス点を検出するゼロクロス検出手段と、前記整流平滑手段の出力直流電圧値を検出し出力する直流電圧検出手段と、前記直流電圧検出手段の出力を参照し電源半周期中に１回または複数回前記ゼロクロス点の遅延期間Δｄ（０≦ｄ）後からオン期間△ｔ（０≦ｔ）の間だけ連続的に前記スイッチング手段を短絡させる制御手段とを有する直流電源装置において、前記制御手段は、前記直流電圧検出手段の出力が目標直流電圧になるようオン期間△ｔを制御し、電源半周期中のスイッチング回数が複数回から１回に移行するのは前記直流電圧と前記目標直流電圧との差が一定値以上になった時であることを特徴とする直流電源装置。
【請求項３】
前記制御手段は前記直流電圧検出手段の出力の平均値をオン期間△ｔの制御に用いることを特徴とした請求項１または２に記載の直流電源装置。
【発明の詳細な説明】
【技術分野】
【０００１】
本発明は、電源回路を制御する直流電源装置であって、特に、力率改善回路の直流電圧可変機能を用いた直流電源装置、およびその直流電源装置を用いた空気調和機に関するものである。
【背景技術】
【０００２】
直流電源装置は、交流電源からの交流電圧を直流電圧に整流し平滑する整流平滑手段と、前記交流電源と前記整流平滑手段の一方の交流入力端との間に接続されたリアクタと、前記交流電源を前記リアクタを介して短絡するスイッチング手段と、前記交流電源のゼロクロス点を検出するゼロクロス検出手段と、前記整流平滑手段の出力直流電圧値を検出し出力する直流電圧検出手段と、前記直流電圧検出手段の出力を参照し前記ゼロクロス点の遅延期間Δｄ（０≦ｄ）後からオン期間△ｔ（０≦ｔ）の間だけ連続的に前記スイッチング手段を短絡させる制御手段で構成される。前記制御手段が前記遅延期間Δｄ（０≦ｄ）及び前記オン期間△ｔ（０≦ｔ）を変更することにより、出力直流電圧値が制御される。
【０００３】
従来、直流電圧を所望の値に制御するためには、制御手段が目標直流電圧と前記直流電圧検出手段の出力の差分を参照し前記オン期間△ｔ（０≦ｔ）を可変させることにより実現される（例えば、特許文献１参照）。
【０００４】
図３は特許文献１に記載された従来の直流電源装置を示すものである。図３に示されるとおり、直流電源装置は交流電源１からの交流電圧を整流平滑部２で直流電圧に変換し、平滑コンデンサにより直流電圧のリップル成分は削除される。そして平滑化された直流電圧はインバータ部３に入力され、電動機４は駆動されている。
【０００５】
また、交流電源１と一方の交流入力端との間にリアクタ５が接続されており、前記交流電源１を前記リアクタ５を介して短絡する短絡部６と、前記交流電源１のゼロクロス点を検出するゼロクロス検出部７と、前記整流平滑部の出力直流電圧値を検出し出力する直流電圧検出部８と、前記直流電圧検出部の出力を参照し前記ゼロクロス点の遅延期間Δｄ（０≦ｄ）後からオン期間△ｔ（０≦ｔ）の間だけ連続的に前記スイッチング部を短絡させる制御部９が接続されている。
【０００６】
制御部９は、直流電圧を所望の値に制御するために目標直流電圧と前記直流電圧検出手段の出力の差分を参照し前記オン期間△ｔ（０≦ｔ）を可変させる。図４は交流電源から直流電源装置に入力される電流とオン期間Δｔの関係を示しており、ＡＣ２００Ｖにおいて目標直流電圧が２５５Ｖの場合、３．０Ａ以上ではオン期間Δｔが０より大きくなり、入力電流が大きくなるほどオン期間Δｔは大きくなり、直流電源電圧は一定値に保たれる。
【特許文献１】特開２００４−７２８０６号公報
【発明の開示】
【発明が解決しようとする課題】
【０００７】
しかしながら、前記従来の構成では、オン期間Δｔが０と０より大となる境界付近の入力電流において、直流電源の負荷によっては、前記スイッチング部を短絡した電流がリアクタに流れる電源周期と流れない電源周期が交互に発生することがある。前記短絡電流がリアクタに流れる電源周期と流れない電源周期では、リアクタから発生する騒音レベルが異なるため、電源周期ごとの騒音レベルの違いによりリアクタから異音が発生するという課題を有していた。
【０００８】
本発明は、前記従来の課題を解決するもので、リアクタから異音が発生させることなく直流電圧を所定の値に制御する直流電源装置を供給することを目的とする。
【課題を解決するための手段】
【０００９】
前記従来の課題を解決するために、本発明の直流電源装置は、交流電源からの交流電圧を直流電圧に整流し平滑する整流平滑手段と、前記交流電源と前記整流平滑手段の一方の交流入力端との間に接続されたリアクタと、前記交流電源を前記リアクタを介して短絡するスイッチング手段と、前記交流電源のゼロクロス点を検出するゼロクロス検出手段と、前記整流平滑手段の出力直流電圧値を検出し出力する直流電圧検出手段と、前記直流電圧検出手段の出力を参照し前記ゼロクロス点の遅延期間Δｄ（０≦ｄ）後からオン期間△ｔ（０≦ｔ）の間だけ連続的に前記スイッチング手段を短絡させる制御手段とを備えた直流電源装置である。
【００１０】
前記制御手段は、前記直流電圧検出手段の出力が目標直流電圧になるようオン期間△ｔを制御し、前記オン期間△ｔが０より大の状態から０に移行するのは前記直流電圧と前記目標直流電圧との差が一定値以上になったときとしている。
【００１１】
これにより、オン期間Δｔが０と０より大となる境界付近の入力電流においても、前記スイッチング部を短絡した電流がリアクタに流れる電源周期と流れない電源周期が交互に発生することを回避することが可能となる。
【発明の効果】
【００１２】
本発明の直流電源装置は、スイッチング部を短絡した電流がリアクタに流れる電源周期と流れない電源周期が交互に発生しないことにより、リアクタから異音が発生しなくなり、直流電源装置の騒音低減が可能となる。
【発明を実施するための最良の形態】
【００１３】
第１の発明は、交流電源からの交流電圧を直流電圧に整流し平滑する整流平滑手段と、前記交流電源と前記整流平滑手段の一方の交流入力端との間に接続されたリアクタと、前記交流電源を前記リアクタを介して短絡するスイッチング手段と、前記交流電源のゼロクロス点を検出するゼロクロス検出手段と、前記整流平滑手段の出力直流電圧値を検出し出力する直流電圧検出手段と、前記直流電圧検出手段の出力を参照し前記ゼロクロス点の遅延期間Δｄ（０≦ｄ）後からオン期間△ｔ（０≦ｔ）の間だけ連続的に前記スイッチング手段を短絡させる制御手段とを有する直流電源装置において、前記制御手段は、前記直流電圧検出手段の出力が目標直流電圧になるようオン期間△ｔを制御し、前記オン期間△ｔが０より大の状態から０に移行するのは前記直流電圧と前記目標直流電圧との差が一定値以上になったときにすることにより、オン期間Δｔが０と０より大となる境界付近の入力電流においても、前記スイッチング部を短絡した電流がリアクタに流れる電源周期と流れない電源周期が交互に発生することを回避し、スイッチング部を短絡した電流がリアクタに流れる電源周期と流れない電源周期が交互に発生しないことにより、リアクタから異音が発生しなくなり、直流電源装置の騒音低減が可能となる。
【００１４】
第２の発明は、交流電源からの交流電圧を直流電圧に整流し平滑する整流平滑手段と、前記交流電源と前記整流平滑手段の一方の交流入力端との間に接続されたリアクタと、前記交流電源を前記リアクタを介して短絡するスイッチング手段と、前記交流電源のゼロクロス点を検出するゼロクロス検出手段と、前記整流平滑手段の出力直流電圧値を検出し出力する直流電圧検出手段と、前記直流電圧検出手段の出力を参照し電源半周期中に１回または複数回前記ゼロクロス点の遅延期間Δｄ（０≦ｄ）後からオン期間△ｔ（０≦ｔ）の間だけ連続的に前記スイッチング手段を短絡させる制御手段とを有する直流電源装置にお
いて、前記制御手段は、前記直流電圧検出手段の出力が目標直流電圧になるようオン期間△ｔを制御し、電源半周期中のスイッチング回数が複数回から１回に移行するのは前記直流電圧と前記目標直流電圧との差が一定値以上になったときにすることにより、複数回目のオン期間Δｔが０と０より大となる境界付近の入力電流においても、前記スイッチング部を短絡した電流がリアクタに流れる電源周期と流れない電源周期が交互に発生することを回避し、スイッチング部を短絡した電流がリアクタに流れる電源周期と流れない電源周期が交互に発生しないことにより、リアクタから異音が発生しなくなり、直流電源装置の騒音低減が可能となる。
【００１５】
第３の発明は、特に、第１から第２の発明の直流電源装置において前記制御手段は前記直流電圧検出手段の出力の平均値をオン期間△ｔの制御に用いることにより、直流電圧の電圧リップルや微小な負荷変動及び外来ノイズによる前記直流電圧検出手段の誤検出に起因するオン期間Δｔの誤設定によるリアクタからの異音発生を防止し、直流電源装置の騒音低減が可能となる。
【００１６】
以下、本発明の実施の形態について、図面を参照しながら説明する。なお、この実施の形態によって本発明が限定されるものではない。
【００１７】
（実施の形態１）
図１は本発明の実施形態１におけるブロック図を示すものである。直流電源装置は交流電源１からの交流電圧を整流平滑部２で直流電圧に変換し、平滑コンデンサにより直流電圧のリップル成分は削除される。そして平滑化された直流電圧はインバータ部３に入力され、電動機４は駆動されている。また、交流電源１と一方の交流入力端との間にリアクタ５が接続されており、前記交流電源１を前記リアクタ５を介して短絡する短絡部６と、前記交流電源１のゼロクロス点を検出するゼロクロス検出部７と、前記整流平滑部の出力直流電圧値を検出し出力する直流電圧検出部８と、前記直流電圧検出部の出力を参照し前記ゼロクロス点の遅延期間Δｄ（０≦ｄ）後からオン期間△ｔ（０≦ｔ）の間だけ連続的に前記スイッチング部を短絡させる制御部９が接続されている。電動機４には負荷量を検出する負荷量検出手段１０が設けられ、負荷量検出手段で検出した負荷量は制御部９に入力される。制御部９は、直流電圧を所望の値に制御するために目標直流電圧と前記直流電圧検出手段の出力の差分を参照し前記オン期間△ｔ（０≦ｔ）を可変させるが、前記オン期間△ｔが０より大の状態から０に移行するのは前記直流電圧検出部８と前記制御部９が設定する目標直流電圧との差分が１０Ｖ以上となったときにしている。
【００１８】
以上のように構成された直流電源装置について、以下その動作、作用を説明する。
【００１９】
図２は交流電源から直流電源装置に入力される電流とオン期間Δｔの関係を示しており、ＡＣ２００Ｖにおいて目標直流電圧が２５５Ｖの場合、オン期間Δｔが０の状態でＡＣ３．０Ａで直流電圧と目標直流電圧が一致する。一旦、直流電源装置に入力される電流がＡＣ３．０Ａ超となりオン期間がΔｔが０より大となった後にＡＣ３．０Ａより小さくなると、直流電圧が目標直流電圧よりも大きくなるが、直流電圧が２６５ＶとなるＡＣ２．２Ａまでは、オン期間Δｔが０より大の状態で継続する。
【００２０】
ＡＣ２．２Ａ以下でオン期間Δｔが０となるが、オン期間Δｔが０に移行後はＡＣ３．０Ａ超となるまではオン期間Δｔが０で継続する。
【００２１】
入力電流がＡＣ３．０Ａ付近で安定している場合において、前記スイッチング部を短絡した電流がリアクタに流れる電源周期と流れない電源周期が交互に発生することを回避することができる。スイッチング部を短絡した電流がリアクタに流れる電源周期と流れない電源周期が交互に発生しないことにより、リアクタから異音発生が無くなり、直流電源装
置の騒音低減が可能となる。
【産業上の利用可能性】
【００２２】
以上のように、本発明にかかる直流電源装置は、リアクタ騒音を抑制ながらに直流電圧を供給することがさせることが可能となるので空気調和機やヒートポンプ方式給湯機など夜間動作し静音性が求められる家電製品に適用できる。
【図面の簡単な説明】
【００２３】
【図１】本発明の実施形態１における直流電源装置のブロック図
【図２】本発明の実施形態１における直流電源装置に入力される電流とオン期間Δｔの関係図
【図３】特許文献１に記載された従来直流電源装置のブロック図
【図４】特許文献１における従来直流電源装置に入力される電流とオン期間Δｔの関係図
【符号の説明】
【００２４】
１  交流電源
２  整流平滑部
３  インバータ部
４  電動機
５  リアクタ
６  短絡部
７  ゼロクロス検出部
８  直流電圧検出部
９  制御部
【図１】
2010239756.tif 000003
【図２】
2010239756.tif 000004
【図３】
2010239756.tif 000005
【図４】
2010239756.tif 000006